(57)【特許請求の範囲】
【請求項１】
軸体が内側に設けられ、周板によって第１磁性体の周方向の回転を規制するケースと、
前記軸体に軸周り方向へ回転可能かつ軸方向に移動可能に外挿され、前記第１磁性体よりも径方向内方において周側部に第２磁性体が設けられ、下端部に連結されたキャスターに前記第１磁性体と前記第２磁性体の間の磁力によって付与された周方向の回転力を伝達する回転筒と、
前記ケースの下側に連設され、下部が開放され、所定回転位置に位置した前記キャスターを収納可能である収納部と、
前記第１磁性体又は前記第２磁性体の軸方向の移動によって前記第１磁性体と前記第２磁性体を互いに近接させ、前記回転筒及び前記回転筒に連結されて前記収納部から突出した前記キャスターを前記磁力によって前記所定回転位置に回転させ、前記キャスターを前記所定回転位置に保持する保持状態、又は前記第１磁性体又は前記第２磁性体を軸方向に移動させることによって前記第１磁性体と前記第２磁性体を互いに離隔させ、前記第１磁性体に対して前記第２磁性体を回転自由とすることによって前記キャスターを回転自由とする自由状態のいずれかに切り替える切替部と、
を有するキャスター装置。
【請求項２】
短筒と圧縮バネを有し、
前記周板には、第１周孔、前記第１周孔よりも下方に配置された第２周孔、及び軸方向に沿った第１長孔が設けられ、
前記圧縮バネは、前記ケースの天板と前記短筒の間に介装され、前記短筒に下方へ向かう付勢力を付与し、
前記短筒は、
前記回転筒の上部に前記回転筒に対して回転可能に装着され、
周側部に、係止孔と、前記第１長孔内に延出して周方向に回転しないように規制する第１規制突起とを設け、
前記第１周孔を介して前記係止孔に第１係止ピンを挿入することによって前記キャスターを前記収納部に収納した収納位置に固定可能であり、
前記第２周孔を介して前記係止孔に第２係止ピンを挿入することによって前記キャスターを前記収納部から突出した突出位置に固定可能であり、
請求項１に記載のキャスター装置。
【請求項３】
少なくとも前記第１磁性体又は前記第２磁性体のいずれか一方は、永久磁石であり、
前記周板には、軸方向に沿った第２長孔が設けられ、
前記切替部は、
前記回転筒の外周を取り巻くように軸方向へ移動可能に設けられて前記第１磁性体を支持する移動筒と、前記移動筒から前記第２長孔を介して前記周板の外側に突出し、前記第１磁性体の周方向の回転を規制する第２規制突起とを有する、
請求項１又は２に記載のキャスター装置。
【請求項４】
少なくとも前記第１磁性体又は前記第２磁性体のいずれか一方は、永久磁石であり、
前記ケースは、前記第２周孔よりも下方に設けられた第３周孔と、前記第３周孔よりも下方に設けられた第４周孔とを有し、
前記短筒は、前記圧縮バネの付勢力によって前記係止孔が前記第３周孔に対向するように移動され、前記第３周孔を介して前記係止孔に第３係止ピンを挿入することにより、前記キャスターを突出して前記所定回転位置に保持した突出保持位置に固定可能であり、
前記切替部は、
前記短筒が前記突出保持位置に位置すると、前記第１磁性体が前記第２磁性体に近接し、前記第１磁性体と前記第２磁性体の間の磁力によって前記第２磁性体を前記所定回転位置に回転させることによって前記保持状態に切り替え、
前記短筒が前記突出位置に位置すると、前記第１磁性体が前記第２磁性体から離隔して前記自由状態に切り替える、
請求項２に記載のキャスター装置。
【請求項５】
前記ケースと前記収納部の間に補強部材が介装された、請求項２に記載のキャスター装置。
【請求項６】
前記第１磁性体は、電磁石であり、
前記切替部は、
前記電磁石に電力を供給して前記磁力を発生させ、前記電磁石と前記第２磁性体の間の磁力によって前記第２磁性体を前記所定回転位置に回転させることによって前記保持状態に切り替え、
前記電磁石の電力の供給を停止することによって前記自由状態に切り替える、
請求項１又は２に記載のキャスター装置。
【請求項７】
第１キャスター機構と第２キャスター機構を有し、
前記第１キャスター機構の前記キャスターと、前記第２キャスター機構の前記キャスターとが互い交差した向きで保持されるように、前記第１キャスター機構の前記キャスターの前記所定回転位置及び前記第２キャスター機構の前記キャスターの前記所定回転位置が定められた、
請求項１から６のいずれか１項に記載のキャスター装置。
【発明の詳細な説明】
【技術分野】
【０００１】
本発明は、キャスター装置に関する。
【背景技術】
【０００２】
従来、鞄や収納具等の底部に設けられ、キャスターを収納可能なキャスター装置がある。例えば、特開２０１７−１４４０８０号公報には、鞄の底面のコーナに開閉蓋付きキャスター収納部が設けられたキャスター装置が開示される。キャスター装置は、キャスター収納部にキャスター保持部を回動自在に軸支し、キャスター保持部にキャスターフレームを回転自在に保持し、キャスターフレームに固定された車軸に、回転自在に車輪を軸支する。使用者が、キャスター収納部の開閉蓋を開け、キャスター保持部を９０度回転してキャスター収納部からキャスターを突出させると、キャスター装置は、移動可能状態にされる。一方、使用者が、キャスター保持部を逆方向に回転し、キャスター収納部にキャスターを収納すると、キャスター装置は、収納状態にされる。
【０００３】
また、別の従来例として、例えば、特許第４８６３５３１号公報には、旅行鞄の底面部に、ベアリングを介して回転自在にされたキャスターを軸支するブラケットを設け、係止部材によって２個の車輪の車軸の向きがハ字状又は逆ハ字状になる位置にブラケットを固定し、停止状態にすることができるキャスター装置が開示される。
【先行技術文献】
【特許文献】
【０００４】
【特許文献１】特開２０１７−１４４０８０号公報
【特許文献２】特許第４８６３５３１号公報
【発明の概要】
【発明が解決しようとする課題】
【０００５】
しかし、従来のキャスター装置には、特開２０１７−１４４０８０号公報に示すように、キャスターフレームを倒して収納するための大型のキャスター収納部が設けられ、手荷物を収納するための収納部を狭くする。
【０００６】
また、キャスター装置は、鞄の底面に設けられて電車やバス等の乗物の床上に置かれると、乗物が走行した際、慣性力によって床上を移動してしまい、鞄の持ち運びを難しくすることがある。また、キャスター装置は、鞄の底面に設けられて坂道上に置かれると、重力によって坂道を下る方向に移動してしまい、鞄の持ち運びを難しくすることもある。キャスターをキャスター収納部に収納すれば、鞄の底面が床上等の載置面に載置され、底面と載置面の間の摩擦力によって鞄の移動が防止されるものの、すべてのキャスターをキャスター収納部に収納する作業に手間がかかる。
【０００７】
また、特許第４８６３５３１号公報に示すキャスター付き旅行鞄は、ロック部材によって２個の車輪の車軸の向きがハ字状又は逆ハ字状になる位置にブラケットを固定して移動を規制することができるものの、すべてのブラケットを固定するロック作業に手間がかかる。
【０００８】
そこで、本発明は、より小型化することができ、より簡単にキャスターの移動の規制又は移動の規制の解除を行うことができるキャスター装置を提供することを目的とする。
【課題を解決するための手段】
【０００９】
本発明の一態様のキャスター装置は、ケース、回転筒、収納部及び切替部を有する。前記ケースは、軸体が内側に設けられ、周板によって第１磁性体の周方向の回転を規制する。前記回転筒は、前記軸体に軸周り方向へ回転可能かつ軸方向に移動可能に外挿され、前記第１磁性体よりも径方向内方において周側部に第２磁性体が設けられ、下端部に連結されたキャスターに前記第１磁性体と前記第２磁性体の間の磁力によって付与された周方向の回転力を伝達する。前記収納部は、前記ケースの下側に連設され、下部が開放され、所定回転位置に位置した前記キャスターを収納可能である。前記切替部は、前記第１磁性体又は前記第２磁性体の軸方向の移動によって前記第１磁性体と前記第２磁性体を互いに近接させ、前記回転筒及び前記回転筒に連結されて前記収納部から突出した前記キャスターを前記磁力によって前記所定回転位置に回転させ、前記キャスターを前記所定回転位置に保持する保持状態、又は前記移動筒又は前記回転筒を軸方向に移動させることによって前記第１磁性体と前記第２磁性体を互いに離隔させ、前記第１磁性体に対して前記第２磁性体を回転自由とすることによって前記キャスターを回転自由とする自由状態のいずれかに切り替える。
【発明の効果】
【００１０】
本発明によれば、より小型化することができ、より簡単にキャスターの移動の規制又は移動の規制の解除を行うことができるキャスター装置を提供することができる。
【図面の簡単な説明】
【００１１】
【図１】本発明の第１実施形態に係る、キャスター装置を備えた鞄の構成の一例を示す斜視図である。
【図２】本発明の第１実施形態に係る、キャスター装置のキャスター機構の構成の一例を示す断面図である。
【図３】本発明の第１実施形態に係る、キャスター装置を設けた鞄の底面図である。
【図４】本発明の第１実施形態に係る、キャスター装置のキャスター機構における、キャスターが所定回転位置に保持された保持状態を示す断面図である。
【図５】本発明の第１実施形態に係る、キャスター装置のキャスター機構の構成の一例を示すためのＡ―Ａ線で切断した断面図である。
【図６】本発明の第１実施形態に係る、キャスター装置における、キャスターが所定回転位置に保持された保持状態を説明するための底面図である。
【図７】本発明の第１実施形態に係る、キャスター装置のキャスター機構における、キャスターを収納部に収納する動作を説明するための断面図である。
【図８】本発明の第１実施形態に係る、キャスター装置のキャスター機構における、キャスターを収納位置に固定した状態を説明するための断面図である。
【図９】本発明の第１実施形態に係る、キャスター装置のキャスター機構における、キャスターを収納部から突出させる動作を説明するための断面図である。
【図１０】本発明の第１実施形態の変形例１に係る、キャスター装置を設けた鞄の底面図である。
【図１１】本発明の第１実施形態の変形例２に係る、キャスター装置のキャスター機構の構成の一例を示す断面図である。
【図１２】本発明の第１実施形態の変形例２に係る、キャスター装置のキャスター機構の構成の一例を示すためのＢ−Ｂ線で切断した断面図である。
【図１３】本発明の第２実施形態に係る、キャスター装置のキャスター機構の構成の一例を示す断面図である。
【図１４】本発明の第３実施形態に係る、キャスター装置のキャスター機構の構成の一例を示す断面図である。
【図１５】本発明の第４実施形態に係る、キャスター装置のキャスター機構の構成の一例を示す断面図である。
【図１６】本発明の第４実施形態に係る、キャスター装置のキャスター機構の回路構成を示す回路図である。
【発明を実施するための形態】
【００１２】
図１は、キャスター装置１を備えた鞄Ｂｇの構成の一例を示す斜視図である。
【００１３】
図１に示すように、キャスター装置１は、キャスター機構２ａ〜２ｄと操作機構３を有する。
【００１４】
キャスター機構２ａ〜２ｄは、例えば、旅行等に用いられる鞄Ｂｇの底部の四隅にキャスター８０が配置されるように設けられる。以下、キャスター機構２ａ〜２ｄのすべて又は一部を示すとき、キャスター機構２という。
【００１５】
図２は、キャスター装置１のキャスター機構２の構成の一例を示す断面図である。
【００１６】
図２に示すように、キャスター機構２は、ケース１０、短筒２０、回転筒３０、第１係止部４０、第２係止部５０、切替部６０、収納部７０、及びキャスター８０を有する。
【００１７】
ケース１０は、天板１１、周板１２、底板１３、軸体１４、圧縮バネ１５、第１周孔１６、第２周孔１７、第１長孔１８、及び第２長孔１９を有する。
【００１８】
天板１１は、ケース１０の上端部に設けられる。
【００１９】
周板１２は、天板１１の外縁から下方に延出する。
【００２０】
底板１３は、周板１２の下端部に設けられ、中央に回転筒３０を回転可能に挿通するための開口を有する。
【００２１】
軸体１４は、ケース１０の内側に設けられ、天板１１の中央部から下方へ延出する。軸体１４の長さは、外挿した回転筒３０が下方へ移動した際に、抜け落ちない長さに、調整して定められる。
【００２２】
圧縮バネ１５は、軸体１４の外周を取り囲むように、天板１１と短筒２０の間に介装され、短筒２０に下方へ向かう付勢力を付与する。
【００２３】
第１周孔１６は、周板１２の上部に設けられる。
【００２４】
第２周孔１７は、第１周孔１６よりも下方において、周板１２の中部に設けられる。
【００２５】
第１長孔１８は、周板１２の上部から中部にかけて軸方向に沿って設けられる。
【００２６】
第２長孔１９は、周板１２の下部に軸方向に沿って設けられる。
【００２７】
短筒２０は、軸体１４の外周を取り巻くように軸方向に移動可能に設けられ、回転筒３０の上部に回転筒３０に対して回転可能に装着される。短筒２０は、内向フランジ２１、２２、バネ受け２３、第１規制突起２４、係止孔２５、圧縮バネ２６、バネ受け２７、及び回転受具２８を有する。
【００２８】
内向フランジ２１は、短筒２０の上端部に設けられる。内向フランジ２１は、径方向内方に、軸体１４が挿通される。
【００２９】
内向フランジ２２は、短筒２０の下部に設けられる。内向フランジ２２は、径方向内方に、軸体１４に外挿された回転筒３０が回転可能に挿通される。
【００３０】
バネ受け２３は、リング形状を有し、短筒２０の上側において、軸体１４の外周を取り囲むように設けられ、圧縮バネ１５を受ける。
【００３１】
第１規制突起２４は、短筒２０の周側部から第１長孔１８内に延出する。第１規制突起２４は、係止孔２５が第１周孔１６又は第２周孔１７のいずれかに対向できるように、短筒２０の軸方向の移動可能範囲を規制し、かつ短筒２０が周方向に回転しないように規制する。すなわち、マグネット６３の周方向の回転は、周板１２によって規制される。
【００３２】
係止孔２５は、短筒２０の周側部に設けられる。係止孔２５は、キャスター８０が収納部７０に収納された収納位置にあるとき、第１周孔１６と対向し、第１周孔１６を介した第１係止ピン４４の挿入によって係止され、キャスター８０を収納位置に固定可能である。また、係止孔２５は、キャスター８０が収納部７０から突出した突出位置にあるとき、第２周孔１７と対向し、第２周孔１７を介した第２係止ピン５４の挿入によって係止され、キャスター８０を突出位置に固定可能である。係止孔２５の上方には、上方への移動によって第１係止ピン４４を外方へ押し戻すテーパ面２５ａが設けられる。係止孔２５の下方には、下方への移動によって第２係止ピン５４を外方へ押し戻すテーパ面２５ｂが設けられる。
【００３３】
圧縮バネ２６は、短筒２０内の軸体１４の外周において、内向フランジ２１とバネ受け２７の間に介装され、回転受具２８を介して、回転筒３０を下方に押圧し、キャスター８０が走行する際に床上面又は地面等の走行面から受ける衝撃を緩衝する。
【００３４】
バネ受け２７は、リング形状を有し、圧縮バネ２６の下側において、軸体１４の外周を取り囲むように設けられ、圧縮バネ２６を受ける。
【００３５】
回転受具２８は、スラスト軸受け構造を有し、バネ受け２７の下側において軸体１４の外周を取り囲むように連設される。回転受具２８は、バネ受け２７と回転筒３０が互いに回転可能になるように、回転筒３０を受ける。
【００３６】
回転筒３０は、外向フランジ３１と筒本体３２を有する。
【００３７】
外向フランジ３１は、短筒２０内に設けられ、上面が回転受具２８に押圧され、下面が内向フランジ２２に係止される。
【００３８】
筒本体３２は、外向フランジ３１の内縁から下方へ延出し、軸体１４に軸周り方向へ回転可能に外挿される。筒本体３２は、下部が、底板１３と、収納部７０の上板７１とに設けられた開口に挿通され、下端部がキャスター８０に連結される。筒本体３２は、下端部に連結されたキャスター８０にマグネット６３とマグネット６８の間の磁力によって付与された周方向の回転力を伝達する。
【００３９】
第１係止部４０は、第１周孔１６の周縁部に突設される。第１係止部４０は、カバー４１、他端板４２、ワイヤ孔４３、第１係止ピン４４、ストッパー４５、及び圧縮バネ４６を有する。
【００４０】
カバー４１は、筒形状を有し、一端部には、第１周孔１６と連通する開口が設けられる。カバー４１の他端部には、他端板４２が設けられる。他端板４２の中央には、操作ワイヤ１１０が挿通されるワイヤ孔４３が設けられる。
【００４１】
第１係止ピン４４は、カバー４１の一端部から第１周孔１６に挿抜可能に設けられる。第１係止ピン４４の他端部には、ワイヤ孔４３に挿通された操作ワイヤ１１０が連結される。
【００４２】
ストッパー４５は、第１係止ピン４４の基端部に設けられ、第１周孔１６の周縁部に当て止めされる。
【００４３】
圧縮バネ４６は、他端板４２とストッパー４５の間に介装され、第１係止ピン４４に挿入方向の付勢力を付与する。操作ワイヤ１１０によって牽引すると、第１係止ピン４４は、圧縮バネ４６の付勢力に抗して第１周孔１６から引き抜かれる。操作ワイヤ１１０による牽引を解除すると、第１係止ピン４４は、圧縮バネ４６の付勢力によって第１周孔１６に挿入される。
【００４４】
第２係止部５０は、第２周孔１７に挿入可能な第２係止ピン５４を有する。第２係止部５０の構成は、第１係止部４０と同様であるため、説明を省略する。
【００４５】
切替部６０は、短筒２０の下方に設けられる。切替部６０は、移動筒６１、第２規制突起６２、第１磁性体であるマグネット６３、係合凹部６４、圧縮バネ６５、鍔状部６６、係合凸部６７、及び第２磁性体であるマグネット６８を有する。切替部６０は、マグネット６３とマグネット６８との間の磁力によって回転筒３０及び回転筒３０に連結されたキャスター８０を所定回転位置に保持する保持状態、又はマグネット６３に対してマグネット６８を回転自由とすることによってキャスター８０を回転自由とする自由状態のいずれかに切り替える。
【００４６】
移動筒６１は、有底筒形状を有し、回転筒３０の外周を取り巻くように、軸方向へ移動可能に設けられる。移動筒６１の筒壁６１ａは、周板１２の径方向内方に設けられる。
【００４７】
第２規制突起６２は、移動筒６１の筒底板６１ｂの外縁から第２長孔１９を介して周板１２の外方へ突出し、突出端に操作ワイヤ１１０が連結される。第２規制突起６２は、マグネット６３の軸方向の移動可能範囲を規制し、マグネット６３が周方向に回転しないように規制する。
【００４８】
マグネット６３は、筒壁６１ａの内周面と筒底板６１ｂによって支持される。マグネット６３は、回転筒３０を挟んで互いに対向するように２つ設けられる。マグネット６３は、移動筒６１の内周面に沿った湾曲板形状を有し、内周側が第１極性を有し、外周側が第１極性とは逆の第２極性を有する。例えば、第１極性がＮ極であり、第２極性がＳ極である。逆に、第１極性がＳ極であり、第２極性がＮ極であってもよい。
【００４９】
係合凹部６４は、筒壁６１ａの上縁部において、回転筒３０が所定回転位置にあるときに、係合凸部６７が嵌入可能となる位置に設けられる。係合凸部６７が係合凹部６４に嵌入すると、回転筒３０は、所定回転位置に固定される。
【００５０】
圧縮バネ６５は、底板１３と筒底板６１ｂの間に介装され、移動筒６１に上方へ向かう付勢力を付与する。
【００５１】
鍔状部６６は、回転筒３０の外周側に突設される。
【００５２】
係合凸部６７は、鍔状部６６の外縁に凸設される。
【００５３】
マグネット６８は、回転筒３０の外周面と鍔状部６６に支持される。マグネット６８は、マグネット６３に近接した際に、回転筒３０が所定回転位置になるように、回転筒３０を挟んで互いに対向するように２つ設けられる。マグネット６８は、回転筒３０の外周面に沿った湾曲板形状を有し、内周側に第１極性を有し、外周側に第２極性を有する。
【００５４】
すなわち、切替部６０は、マグネット６３がマグネット６８に近接すると、マグネット６３とマグネット６８の間の磁力によってマグネット６８を所定回転位置に回転させて保持状態に切り替え、マグネット６３がマグネット６８から離隔すると、自由状態に切り替える。
【００５５】
収納部７０は、ケース１０の底板１３の下側に連設される。収納部７０は、底板１３の開口に連通して回転筒３０を周方向に回転可能に挿通するための開口を有する上板７１と、上板７１の後縁から下方に延設された側板７２と、側板７２と隣り合うように、上板７１の左側縁から下方に延設された側板７３を有する。収納部７０は、下部が開放され、所定回転位置に位置したキャスター８０の収納と突出が可能にされる。実施形態では、収納部７０の前部と右部が開放されるが、前部と右部にも側板を設けてもよい。
【００５６】
キャスター８０は、回転筒３０の回転力の伝達を受けて回転可能である。キャスター８０は、所定回転位置に保持された保持状態、又は回転自由とされた自由状態にすることが可能である。キャスター８０は、回転筒３０の下端部に連結して斜め下方に延在するフォーク８１と、フォーク８１の下端部に回転可能に軸支される車軸８２と、車軸８２に支持された車輪８３を有する。
【００５７】
操作機構３は、使用者による指示操作が可能であり、使用者の指示操作に基づく操作力をキャスター機構２に出力する。操作機構３は、ボタン９０、スライド操作具１００、及び操作ワイヤ１１０を有する。
【００５８】
ボタン９０とスライド操作具１００は、鞄Ｂｇの上部や側部等、使用者の手指の届きやすい部位に設けられる。
【００５９】
ボタン９０は、シリンダ９１、シャフト９２、受板９３、圧縮バネ９４、及び押板９５を有する。
【００６０】
シリンダ９１は、押込み方向に沿って延在する。
【００６１】
シャフト９２は、シリンダ９１の両端部に設けられた開口に挿通され、先端部に操作ワイヤ１１０が連結される。
【００６２】
受板９３は、シリンダ９１の内側において、シャフト９２の外周側に鍔状に凸設される。
【００６３】
圧縮バネ９４は、シリンダ９１の先端側の内面と受板９３の間に介装され、受板９３に押戻し方向の付勢力を付与する。
【００６４】
押板９５は、シャフト９２の基端部に設けられ、使用者の手指によって押込み可能である。使用者が、手指によって圧縮バネ９４の付勢力に抗して押板９５を押し込むと、シャフト９２は、操作ワイヤ１１０を牽引する。
【００６５】
スライド操作具１００は、操作ワイヤ１１０に連結され、摘み１０１を有し、使用者の手指によって先端方向又は基端方向にスライド操作可能である。
【００６６】
操作ワイヤ１１０は、鞄Ｂｇの鞄本体と内張体の間に配設される（図１の破線）。操作ワイヤ１１０は、キャスター機構２に連結され、使用者の操作によって入力された操作力をキャスター機構２に伝達する。操作ワイヤ１１０は、操作ワイヤ１１１、操作ワイヤ１１２、及び操作ワイヤ１１３を有し、チューブＴによって覆われる。
【００６７】
操作ワイヤ１１１の一端側は、第１係止ピン４４に連結される。操作ワイヤ１１１の他端側には、引張バネ１１１ｓが設けられ、続いて、プーリー１１１ｐを介してシャフト９２に連結される。操作ワイヤ１１１の長さは、押板９５を半押し操作することによって係止孔２５から第１係止ピン４４が引き抜かれる長さになるように、経験的又は実験的に調整される。
【００６８】
操作ワイヤ１１２の一端側は、第２係止ピン５４に連結される。操作ワイヤ１１２の他端側には、所定長さの遊びを持たせてプーリー１１２ｐを介してシャフト９２に連結される。操作ワイヤ１１２の長さは、押板９５を全押し操作することによって係止孔２５から第２係止ピン５４が引き抜かれる長さになるように、所定長さの遊びによって経験的又は実験的に調整される。
【００６９】
操作ワイヤ１１３の一端側は、第２規制突起６２に連結される。操作ワイヤ１１３の他端側は、摘み１０１に連結される。操作ワイヤ１１３の長さは、摘み１０１のスライド操作によってケース１０の軸方向に沿って第２規制突起６２が移動可能な長さになるように、経験的又は実験的に調整される。
【００７０】
図３は、キャスター装置１を設けた鞄Ｂｇの底面図である。
【００７１】
キャスター装置１における４つのキャスター機構２の各々は、キャスター８０の所定回転位置が互いに交差するように、９０度向きを変えて配置される。例えば、キャスター機構２ａの所定回転位置がキャスター機構２ｄの所定回転位置から右回りに９０度回転させた位置であり、キャスター機構２ｂの所定回転位置がキャスター機構２ａの所定回転位置から右回りに９０度回転させた位置であり、キャスター機構２ｃの所定回転位置がキャスター機構２ｂの所定回転位置から右回りに９０度回転させた位置であり、キャスター機構２ｄの所定回転位置がキャスター機構２ｃの所定回転位置から右回りに９０度回転させた位置である。
【００７２】
（動作）  
キャスター装置１の動作について、説明をする。
【００７３】
図２で示すように、第２周孔１７と係止孔２５が対向する状態において、第２周孔１７を介して第２係止ピン５４が係止孔２５に挿入されると、キャスター８０は、突出位置に固定される。使用者が、摘み１０１を基端方向へスライドし、マグネット６８からマグネット６３を離隔させると、キャスター８０は、回転自由な自由状態になる。
【００７４】
図３に示すように、自由状態においては、鞄Ｂｇは、キャスター装置１によって移動の規制が解除される。例えば、使用者が、鞄Ｂｇを進行方向Ｆに進行させると、キャスター機構２のキャスター８０の各々は、進行方向Ｆの反対方向Ｂを向く。
【００７５】
図４は、キャスター８０が所定回転位置に保持された保持状態を示す断面図である。図５は、図４のＡ―Ａ線で切断した断面図である。図６は、キャスター８０が所定回転位置に保持された保持状態を説明するための底面図である。
【００７６】
図４に示すように、使用者が、手指によって摘み１０１を先端方向へスライドすると、操作ワイヤ１１３が押し出され、圧縮バネ６５は、移動筒６１を上方へ押し上げる。マグネット６３とマグネット６８が近接すると、マグネット６３とマグネット６８の間の吸引力によってマグネット６８と回転筒３０が周方向に回転し、回転筒３０に連結されたキャスター８０を所定回転位置に回転させる。
【００７７】
図５に示すように、使用者がさらに摘み１０１を先端方向へスライド操作すると、係合凸部６７が係合凹部６４に嵌入され、キャスター８０は、所定回転位置に保持された保持状態になる。図６に示すように、キャスター機構２の各々に設けられたキャスター８０が、互いに交差する方向を向いて保持状態になると、キャスター機構２の各々の車輪８３の回転が規制される。鞄Ｂｇは、キャスター装置１によって移動が規制される。
【００７８】
図７は、キャスター８０を収納部７０に収納する動作を説明するための断面図である。図８は、キャスター８０を収納位置に固定した状態を説明するための断面図である。
【００７９】
使用者が手指によって押板９５を全押しすると、シャフト９２が操作ワイヤ１１２を押込み方向へ牽引する。操作ワイヤ１１２は、プーリー１１２ｐを介して操作力を伝達し、圧縮バネ２６の付勢力に抗して係止孔２５から第２係止ピン５４を引き抜く。また、押板９５の全押しによって操作ワイヤ１１１も押込み方向へ牽引され、引張バネ１１１ｓは、伸長する。
【００８０】
使用者が手指によって鞄Ｂｇを上から押圧すると、収納部７０が下方へ移動し、キャスター８０は、収納部７０に収納され、収納位置に配置される。短筒２０と回転筒３０が、圧縮バネ１５の付勢力に抗してケース１０内を上方へ移動し、係止孔２５は、第１周孔１６に対向する。
【００８１】
キャスター装置１は、キャスター８０を収納部７０に収納することによって鞄Ｂｇの底面が床上等の載置面に直置きされ、鞄Ｂｇの底面と載置面の間の摩擦力によって鞄Ｂｇの移動は、規制される。すなわち、鞄Ｂｇは、キャスター装置１のキャスター８０の収納によって移動が規制される。
【００８２】
図８に示すように、使用者が手指を離して押板９５の押込みを解除すると、圧縮バネ９４が付勢力によってシャフト９２を押し戻し、操作ワイヤ１１１の牽引を解除する。第１係止ピン４４は、圧縮バネ４６の付勢力によって第１周孔１６を介して係止孔２５に挿入され、収納位置にキャスター８０を固定する。
【００８３】
使用者は、さらに、次回の使用に備え、手指によって摘み１０１を基端方向へスライドし、操作ワイヤ１１３によって第２規制突起６２を牽引し、圧縮バネ６５の付勢力に抗して移動筒６１を軸方方向へ引き下げ、マグネット６８からマグネット６３を引き離すことによってキャスター８０を自由状態にする。
【００８４】
図９は、キャスター８０を収納部７０から突出させる動作を説明するための断面図である。
【００８５】
使用者が、押板９５を半押しすると、シャフト９２が操作ワイヤ１１１を押込み方向へ牽引する。操作ワイヤ１１１は、プーリー１１１ｐを介して操作力を伝達し、係止孔２５から第１係止ピン４４を引き抜く。シャフト９２によって操作ワイヤ１１２も押込み方向へ牽引され、第２係止ピン５４が第２周孔１７に挿入された状態のまま、操作ワイヤ１１２の遊びは、解消される。
【００８６】
短筒２０と回転筒３０が圧縮バネ１５の付勢力によって下方へ移動すると、テーパ面２５ｂが圧縮バネ５６に抗して第２係止ピン５４を押し戻し、さらに下方へ移動して係止孔２５が第２周孔１７に対向すると、圧縮バネ５６の付勢力によって第２係止ピン５４が係止孔２５に挿入され、キャスター８０は、突出位置に固定される（図４）。鞄Ｂｇは、キャスター装置１によって移動の規制が解除される。
【００８７】
すなわち、キャスター装置１では、ケース１０、回転筒３０、及び切替部６０を有する。ケース１０は、軸体１４が内側に設けられ、周板１２によって第１磁性体の周方向の回転を規制する。回転筒３０は、軸体１４に軸周り方向へ回転可能に外挿され、周側部に第２磁性体が設けられ、下端部に連結されたキャスター８０に第１磁性体と第２磁性体の間の磁力によって付与された周方向の回転力を伝達する。切替部６０は、磁力によって回転筒３０を所定回転位置に位置させることによってキャスター８０を所定回転位置に保持する保持状態、又は第１磁性体に対して第２磁性体を回転自由とすることによってキャスター８０を回転自由とする自由状態のいずれかに切り替える。
【００８８】
また、キャスター装置１は、圧縮バネ１５と短筒２０を有する。周板１２には、第１周孔１６、第１周孔１６よりも下方に配置された第２周孔１７、及び軸方向に沿った第１長孔１８が設けられる。圧縮バネ１５は、ケース１０の天板１１と短筒２０の間に介装され、短筒２０に下方へ向かう付勢力を付与する。短筒２０は、回転筒３０の上部に回転筒３０に対して回転可能に装着され、周側部に、係止孔２５と、第１長孔１８内に延出して周方向に回転しないように規制する第１規制突起２４とを設け、第１周孔１６を介して係止孔２５に第１係止ピン４４を挿入することによってキャスター８０を収納部７０に収納した収納位置に固定可能であり、第２周孔１７を介して係止孔２５に第２係止ピン５４を挿入することによってキャスター８０を収納部７０から突出した突出位置に固定可能である。
【００８９】
また、キャスター装置１では、少なくとも第１磁性体又は第２磁性体のいずれか一方は、永久磁石である。周板１２には、軸方向に沿った第２長孔１９が設けられる。切替部６０は、回転筒３０の外周を取り巻くように軸方向へ移動可能に設けられて第１磁性体を支持する移動筒６１と、移動筒６１から第２長孔１９を介して周板１２の外側に突出し、第１磁性体の周方向の回転を規制する第２規制突起６２とを有し、第１磁性体が第２磁性体に近接すると、第１磁性体と第２磁性体の間の磁力によって第２磁性体を所定回転位置に回転させて保持状態に切り替え、第１磁性体が第２磁性体から離隔すると、自由状態に切り替える。
【００９０】
また、キャスター装置１は、第１キャスター機構と第２キャスター機構を有し、第１キャスター機構のキャスター８０と、第２キャスター機構のキャスター８０とが互い交差した向きで保持されるように、第１キャスター機構のキャスター８０の所定回転位置及び第２キャスター機構のキャスター８０の所定回転位置が定められる。
【００９１】
実施形態１によれば、以下の作用効果を奏する。
【００９２】
（Ａ）キャスター装置１は、第１磁性体と第２磁性体の間の磁力によって回転筒３０及び回転筒３０に連結されたキャスター８０を所定回転位置に保持することができる。したがって、使用者は、簡単な操作によって複数のキャスター８０を互いに交差する向きになるように保持させ、キャスター８０の移動を規制することができる。また、使用者は、簡単な操作によって第１磁性体と第２磁性体の間の磁力を解除又は弱め、移動の規制を解除することができる。
【００９３】
（Ｂ）使用者は、より簡単に、キャスター８０を収納部７０に収納し、鞄Ｂｇの底面を床上等の載置面に直置きし、底面と載置面の間の摩擦力によって鞄Ｂｇの移動を規制できる。また、使用者は、より簡単に、キャスター８０を収納部７０から突出させ、鞄Ｂｇの移動の規制を解除できる。
【００９４】
（Ｃ）キャスター装置１は、キャスター８０を軸方向に収納可能であり、小型化することができる。
【００９５】
（Ｄ）使用者は、第１係止ピン４４と第２係止ピン５４を挿抜する操作により、より簡単に、収納位置又は突出位置にキャスター８０を固定可能である。
【００９６】
（Ｅ）キャスター装置１は、第１磁性体の軸方向の移動によって保持状態又は自由状態のいずれかに切替えることができ、装置をより小型化することができる。
【００９７】
（Ｆ）キャスター装置１は、第１キャスター機構と第２キャスター機構の各々のキャスター８０の向きを互いに交差する方向にして保持することができ、より簡単に、キャスター８０の移動を規制できる。
【００９８】
したがって、キャスター装置１は、航空機や鉄道、自動車に積載する際の積載スペースを節約し、積載を容易にすることができる。また、キャスター装置１は、キャスター８０を含む鞄Ｂｇの大きさが航空会社の大きさ制限にかからなくなり、結果として鞄Ｂｇを大型化することができ、収納容積を大きくすることができる。また、キャスター８０は、収納部７０への収納によって航空機や鉄道、自動車に積載される際の破損が防止される。また、キャスター８０は、使用者が持ち歩くとき、収納部７０への収納によってキャスター８０が邪魔にならない。また、キャスター８０は、室内に持ち込んだ際、収納部７０への収納によって床やカーペットのキャスター８０による汚損を防止する。また、キャスター装置１は、キャスター８０の収納にスペースを取らないから、相対的にキャスター８０を大型化することができ、鞄Ｂｇを引いて移動するときに、路面の凹凸を乗り越えやすくし、使用者による引き回しを軽快にすることができる。また、キャスター装置１は、キャスター８０を引き込めば、車両内で勝手に鞄Ｂｇが動くのを制止できる。
【００９９】
（第１実施形態の変形例１）  
第１実施形態では、キャスター装置１における４つのキャスター機構２の各々が、９０度向きを変えて配置されるが、これに限定されない。
【０１００】
図１０は、第１実施形態の変形例１のキャスター装置１ａを設けた鞄Ｂｇの底面図である。本実施形態の説明では、他の実施形態及び変形例と同様の構成については、説明を省略する。他の実施形態及び変形例の説明においても、同様に、それ以外の実施形態及び変形例と同様の構成については説明を省略する。
【０１０１】
キャスター装置１ａでは、少なくとも２つのキャスター機構２のキャスター８０の各々が互いに交差する向きになるように、それぞれの所定回転位置を定めてもよい。
【０１０２】
図１０の例では、キャスター装置１ａは、少なくとも２つのキャスター機構２のキャスター８０の各々が互いに交差する向きになるように、それぞれの所定回転位置を定めた、キャスター機構２ａ、２ｂと、キャスター機構２ｂ、２ｃと、キャスター機構２ｃ、２ｄと、キャスター機構２ｄ、２ａと、を有する。
【０１０３】
（第１実施形態の変形例２）  
第１実施形態とその変形例１では、移動筒６１が、周板１２の内周側に設けられるが、これに限定されない。
【０１０４】
図１１は、第１実施形態の変形例２のキャスター装置１ｂのキャスター機構２の断面図である。図１２は、図１１のＢ−Ｂ線で切断した断面図である。
【０１０５】
図１１及び図１２に示すように、キャスター装置１ｂは、移動筒１６１を有する。
【０１０６】
移動筒１６１は、回転筒３０の外周を取り囲むように、軸方向へ移動可能に設けられた筒底板１６１ｂと、周孔１１ａを介して筒底板１６１ｂから周板１２の径方向外方に延出した支持板１６１ｃと、支持板１６１ｃの延出端の上側に周板１２の外周面に沿うように延設された筒壁１６１ａとを有する。
【０１０７】
第１磁性体であるマグネット１６３は、筒壁１６１ａの内周面と筒底板１６１ｂに支持される。
【０１０８】
第２磁性体であるマグネット１６８は、回転筒３０の外周面と回転筒３０の外周側に突設した鍔状部１６６に支持される。
【０１０９】
これにより、キャスター装置１ｂは、ケース１０をより細くして小型化することができる。また、キャスター装置１ｂは、マグネット１６３とマグネット１６８の厚みをより厚くすることによって磁力を強くすることができ、回転力をより強くすることができる。
【０１１０】
（第２実施形態）  
第１実施形態、第１実施形態の変形例１及び第１実施形態の変形例２では、移動筒６１、１６１を軸方向に移動することによって自由状態と保持状態の切替えが行われるが、移動筒６１、１６１の移動によらなくても、自由状態と保持状態の切替えを行うことができる。
【０１１１】
図１３は、第２実施形態のキャスター装置１ｃの断面図である。
【０１１２】
図１３に示すように、キャスター装置１ｃは、第３周孔２１６、第４周孔２１７、第３係止部２４０、第４係止部２５０、支持リング２６１、ピン受凹部２６２、第１磁性体であるマグネット２６３、及び第２磁性体であるマグネット２６８を有する。
【０１１３】
第３周孔２１６は、周板１２の中部において、第２周孔１７よりも下方に設けられる。
【０１１４】
第４周孔２１７は、周板１２の下部において、第３周孔２１６よりも下方に設けられる。
【０１１５】
第３係止部２４０は、第３周孔２１６に挿入可能な第３係止ピン２４４を有する。第３係止部２４０の構成は、第１係止部４０と同様であるため、説明を省略する。
【０１１６】
第４係止部２５０は、第４周孔２１７に挿入可能な第４係止ピン２５４と、第４係止ピン２５４を挿入方向に付勢する圧縮バネ２５６とを有する。第４係止部２５０の構成は、第１係止部４０と同様であるため、説明を省略する。
【０１１７】
支持リング２６１は、回転筒３０の外周に装着され、第４周孔２１７を介して挿入された第４係止ピン２５４をガイドする周溝２６１ａを有する。
【０１１８】
ピン受凹部２６２は、周溝２６１ａ内に設けられて回転筒３０が所定回転位置にあるときに第４係止ピン２５４が挿入される。
【０１１９】
マグネット２６３は、湾曲板形状を有し、回転筒３０を挟んで互いに対向するように２つ設けられ、周板１２の内周面と底板１３に支持される。
【０１２０】
マグネット２６８は、回転筒３０を挟んで互いに対向するように２つ設けられ、回転筒３０の外周面と支持リング２６１に支持される。マグネット２６８は、湾曲板形状を有し、下側に、下方への移動によって第４係止ピン２５４を押し戻すテーパ面２６８ａが設けられる。
【０１２１】
キャスター装置１ｃの操作機構３には、ボタン９０の他、ボタン２９０も設けられる。ボタン２９０の構成は、ボタン９０と同じであるため、説明を省略する。
【０１２２】
キャスター装置１ｃの操作ワイヤ１１０は、操作ワイヤ１１１と操作ワイヤ１１２の他、チューブＴに覆われた操作ワイヤ２１１と操作ワイヤ２１２も有する。
【０１２３】
操作ワイヤ２１１の一端側は、第３係止ピン２４４に連結される。操作ワイヤ２１１の他端側は、プーリー２１１ｐを介してボタン２９０に連結される。
【０１２４】
操作ワイヤ２１２の一端側は、第４係止ピン２５４に連結される。操作ワイヤ２１２の他端側は、プーリー２１２ｐを介してボタン２９０に連結される。
【０１２５】
使用者がボタン９０を半押し操作すると、操作ワイヤ１１１に牽引されて第１係止ピン４４が引き抜かれ、短筒２０は、圧縮バネ１５の付勢力によって第２周孔１７と係止孔２５が対向する位置に移動し、第２周孔１７を介して第２係止ピン５４が係止孔２５に挿入され、突出位置で固定される（図１３）。キャスター８０が自由状態にされ、鞄Ｂｇは、キャスター装置１ｃによって移動の規制が解除される。
【０１２６】
使用者がボタン９０を全押し操作すると、第２周孔１７から第２係止ピン５４が引き抜かれ、短筒２０は、圧縮バネ１５の付勢力によって下方へ移動する。第４係止ピン２５４は、圧縮バネ２５６の付勢力に抗してテーパ面２６８ａによって押し戻され、続いて、圧縮バネ２５６の付勢力によって周溝２６１ａに遊嵌される。マグネット２６３に吸引されてマグネット２６８が周方向へ回転すると、周溝２６１ａも周方向へ回転し、圧縮バネ２５６の付勢力によって第４係止ピン２５４がピン受凹部２６２に嵌入して回転筒３０を所定回転位置に係止し、キャスター８０は、突出保持位置に固定される。キャスター機構２のキャスター８０の各々が互いに交差する向きに保持され、鞄Ｂｇは、キャスター装置１ｃによって移動が規制される。
【０１２７】
すなわち、キャスター装置１ｃでは、少なくとも第１磁性体又は第２磁性体のいずれか一方は、永久磁石である。ケース１０は、第２周孔１７よりも下方に設けられた第３周孔２１６と、第３周孔２１６よりも下方に設けられた第４周孔２１７とを有する。短筒２０は、圧縮バネ１５の付勢力によって係止孔２５が第３周孔２１６に対向するように移動され、第３周孔２１６を介して係止孔２５に第３係止ピン２４４を挿入することにより、キャスター８０を突出して所定回転位置に保持した突出保持位置に固定可能である。切替部６０は、短筒２０が突出保持位置に位置すると、第１磁性体が第２磁性体に近接し、第１磁性体と第２磁性体の間の磁力によって第２磁性体を所定回転位置に回転させることによって保持状態に切り替え、短筒２０が突出位置に位置すると、第１磁性体が第２磁性体から離隔して自由状態に切り替える。
【０１２８】
第２実施形態によれば、以下の作用効果を奏する。
【０１２９】
（Ｇ）短筒２０が、圧縮バネ１５の付勢力によって係止孔２５が第３周孔２１６に対向するように移動され、第３周孔２１６を介して係止孔２５に第３係止ピン２４４を挿入することにより、キャスター８０を突出して所定回転位置に保持した突出保持位置に固定可能である。したがって、キャスター装置１ｃは、移動筒６１、１６１を設けなくてもよく、より少ない部品によって構成することできる。
【０１３０】
（第３実施形態）  
他の実施形態では、収納部７０がケース１０の下側に連設されるが、収納部７０とケース１０の間に補強部材３０１を介装してもよい。
【０１３１】
図１４は、第３実施形態のキャスター装置１ｄの断面図である。
【０１３２】
キャスター装置１ｄは、収納部７０とケース１０の間に補強部材３０１が介装される。
【０１３３】
補強部材３０１は、底壁３０２、回転球３０３、周壁３０４、フランジ３０５、及び、スリット３０６を有する。
【０１３４】
底壁３０２は、キャスター８０の上側に連設され、中央の開口に回転筒３０が挿通される。
【０１３５】
回転球３０３は、底壁３０２の開口の内縁に沿って回転可能に複数設けられ、底壁３０２に対して回転筒３０を回転可能に支持する。
【０１３６】
周壁３０４は、底壁３０２の外縁から起立し、上板７１の開口を介して収納部７０の上方に突設される。周壁３０４は、周板１２の外周に軸方向に移動可能に外挿される。
【０１３７】
フランジ３０５は、周壁３０４の上縁部に設けられ、上板７１の開口の周縁部の上側に係止される。
【０１３８】
周壁３０４とフランジ３０５には、上方への移動によって第２規制突起６２に当たらないように、スリット３０６が設けられる。
【０１３９】
第３実施形態によれば、以下の作用効果を奏する。
【０１４０】
（Ｈ）キャスター装置１ｄでは、補強部材３０１によってより強度を高めることができる。
【０１４１】
（第４実施形態）  
他の実施形態では、マグネット６３、１６３、２６３とマグネット６８、マグネット１６８、２６８によって自由状態と保持状態の切替えが行われるが、電磁石４５０によって自由状態と保持状態の切替えが行われてもよい。
【０１４２】
図１５は、第４実施形態に係る、キャスター装置１ｅの断面図である。図１６は、キャスター装置１ｅの回路構成を示す回路図である。
【０１４３】
キャスター装置１ｅは、筒孔４１０、第５係止部４２０、第６係止部４３０、第７係止部４４０、第１磁性体である電磁石４５０、第２磁性体であるマグネット４６０、電池４７０、及びスイッチ４８０を有する。
【０１４４】
筒孔４１０は、回転筒３０の筒本体３２に軸方向に沿って設けられる。
【０１４５】
第５係止部４２０は、第１係止ピン４４と第１係止ピン４４を突没可能なプランジャー４２１を有する。プランジャー４２１は、ソレノイドを有し、電源から供給される電力を磁力に変換し、磁力によって第１係止ピン４４を突没させる。
【０１４６】
第６係止部４３０は、第２係止ピン５４をプランジャー４３１によって突没させる。
【０１４７】
第７係止部４４０は、プランジャー４４１によってロックピン４４２を突没させる。ロックピン４４２は、筒孔４１０への挿入によって回転筒３０をロックする。
【０１４８】
電磁石４５０は、電源から供給される電力によって磁力を生じ、磁力によってマグネット４６０を吸引する。
【０１４９】
マグネット４６０は、回転筒３０の外周側に支持される。
【０１５０】
電池４７０は、操作機構３に、交換可能に設けられる。
【０１５１】
スイッチ４８０は、鞄Ｂｇの上部や側部等、使用者の手指の届きやすい部位に設けられる。スイッチ４８０は、プランジャー４２１を駆動制御するスイッチ４８１、プランジャー４３１を駆動制御するスイッチ４８２、プランジャー４４１を駆動制御するスイッチ４８３、電磁石４５０駆動制御するスイッチ４８４を有する。
【０１５２】
図１６に示すように、プランジャー４２１、プランジャー４３１、プランジャー４４１、及び電磁石４５０は、電池４７０に並列接続される。電源とプランジャー４２１、プランジャー４３１、プランジャー４４１、及び電磁石４５０の各々の間には、スイッチ４８１〜４８４が設けられる。
【０１５３】
すなわち、キャスター装置１ｅでは、第１磁性体は、電磁石４５０であり、切替部６０は、電磁石４５０に電力を供給して磁力を発生させ、電磁石４５０との間の磁力によってマグネット４６０を所定回転位置に回転させることによって保持状態に切り替え、電磁石４５０の電力の供給を停止することによって自由状態に切り替える。
【０１５４】
第４実施形態によれば、以下の作用効果を奏する。
【０１５５】
（Ｉ）第１磁性体は、電磁石４５０である。したがって、保持状態又は自由状態を電気的に制御することができ、より簡単な構造とすることができ、小型化することができる。
【０１５６】
なお、第１実施形態〜第３実施形態及び変形例では、自由状態と保持状態の切り替えにマグネット６３、１６３、２６３とマグネット６８、１６８、２６８が用いられ、第４実施形態では電磁石４５０とマグネット４６０とが用いられるが、これに限定されない。磁力によって回転筒３０を所定回転位置に移動させることができればよい。
【０１５７】
なお、第４実施形態では、第２磁性体として、マグネット４６０が用いられるが、マグネット４６０に代えて鉄等の磁性体が用いられてもよい。
【０１５８】
また、実施形態及び変形例では、第１磁性体と第２磁性体の間の吸引力によって回転筒３０を所定回転位置に回転させる構成を説明したが、第１磁性体と第２磁性体の間の反発力によって回転筒３０を所定回転位置に回転させるように構成してもよい。
【０１５９】
なお、実施形態及び変形例では、キャスター装置１〜１ｅが鞄Ｂｇの底部に設けられた例を説明したが、キャスター装置１〜１ｅは、例えば、収納具等の移動可能な器具又は機材の底部に設けられてもよい。
【０１６０】
本発明は、上述した実施の形態に限定されるものではなく、本発明の要旨を変えない範囲において、種々の変更、改変等が可能である。
【符号の説明】
【０１６１】
１、１ａ、１ｂ、１ｃ、１ｄ、１ｅ・・・キャスター装置
２、２ａ、２ｂ、２ｃ、２ｄ・・・キャスター機構
３・・・操作機構
１０・・・ケース
１１・・・天板
１２・・・周板
１２ａ・・・周孔
１３・・・底板
１４・・・軸体
１５、２６、４６、５６、６５、９４、２５６・・・圧縮バネ
１６・・・第１周孔
１７・・・第２周孔
１８・・・第１長孔
１９・・・第２長孔
２０・・・短筒
２１、２２・・・内向フランジ
２３、２７・・・バネ受け
２４・・・第１規制突起
２５・・・係止孔
２５ａ、２５ｂ、２６８ａ・・・テーパ面
２８・・・回転受具
３０・・・回転筒
３１・・・外向フランジ
３２・・・筒本体
４０・・・第１係止部
４１・・・カバー
４２・・・他端板
４３・・・ワイヤ孔
４４・・・第１係止ピン
４５・・・ストッパー
５０・・・第２係止部
５４・・・第２係止ピン
６０・・・切替部
６１、１６１・・・移動筒
６１ａ、１６１ａ・・・筒壁
６１ｂ、１６１ｂ・・・筒底板
６２・・・第２規制突起
６３、６８、１６３、１６８、２６３、２６８、４６０・・・マグネット
６４・・・係合凹部
６６、１６６・・・鍔状部
６７・・・係合凸部
７０・・・収納部
７１・・・上板
７２、７３・・・側板
８０・・・キャスター
８１・・・フォーク
８２・・・車軸
８３・・・車輪
９０、２９０・・・ボタン
９１・・・シリンダ
９２・・・シャフト
９３・・・受板
９５・・・押板
１００・・・スライド操作具
１０１・・・摘み
１１０、１１１、１１２、１１３、２１１、２１２・・・操作ワイヤ
１１１ｓ・・・引張バネ
１１１ｐ、１１２ｐ、２１１ｐ、２１２ｐ・・・プーリー
１６１ｃ・・・支持板
２１６・・・第３周孔
２１７・・・第４周孔
２４０・・・第３係止部
２４４・・・第３係止ピン
２５０・・・第４係止部
２５４・・・第４係止ピン
２６１・・・支持リング
２６１ａ・・・周溝
２６２・・・ピン受凹部
３０１・・・補強部材
３０２・・・底壁
３０３・・・回転球
３０４・・・周壁
３０５・・・フランジ
３０６・・・スリット
４１０・・・筒孔
４２０・・・第５係止部
４２１、４３１、４４１・・・プランジャー
４３０・・・第６係止部
４４０・・・第７係止部
４４２・・・ロックピン
４５０・・・電磁石
４７０・・・電池
４８０、４８１、４８２、４８３、４８４・・・スイッチ
Ｂｇ・・・鞄
Ｔ・・・チューブ
【要約】
【課題】  より小型化することができ、より簡単にキャスターの移動の規制又は移動の規制の解除を行うことができるキャスター装置を提供する。
【解決手段】  キャスター装置１は、第１磁性体６３と、周側部に第２磁性体６８が設けられた回転筒３０を有し、第１磁性体６３又は第２磁性体６８の軸方向の移動によって第１磁性体６３と第２磁性体６８を互いに近接させ、回転筒３０及び回転筒３０に連結されて収納部７０から突出したキャスター８０を磁力によって所定回転位置に回転させ、キャスター８０を所定回転位置に保持する保持状態、又は移動筒６１又は回転筒３０を軸方向に移動させることによって第１磁性体６３と第２磁性体６８を互いに離隔させ、第１磁性体６３に対して第２磁性体６８を回転自由とすることによってキャスター８０を回転自由とする自由状態のいずれかに切り替える。
【選択図】図２【図１】
0006962649.tif 000002
【図２】
0006962649.tif 000003
【図３】
0006962649.tif 000004
【図４】
0006962649.tif 000005
【図５】
0006962649.tif 000006
【図６】
0006962649.tif 000007
【図７】
0006962649.tif 000008
【図８】
0006962649.tif 000009
【図９】
0006962649.tif 000010
【図１０】
0006962649.tif 000011
【図１１】
0006962649.tif 000012
【図１２】
0006962649.tif 000013
【図１３】
0006962649.tif 000014
【図１４】
0006962649.tif 000015
【図１５】
0006962649.tif 000016
【図１６】
0006962649.tif 000017